(57)【要約】【課題】取り忘れられた媒体を排出する際のジャム発生率を低減できるとともに、複数枚の取り忘れ媒体を排出する処理時間を低減できるようにする。【解決手段】自動発券機１の意匠モールド２の外部に、取り忘れられた媒体を排出するためのダクト６が設けられ、ダクト６の入口に開閉可能に穴塞ぎカバー４が設けられる。自動発券機１は、媒体の取り忘れの発生を検出すると、クランプローラ１１，１２を発券の時とは逆方向に回転させて、媒体を一時的に自動発券機１内部に取り込む。また、穴塞ぎカバー４を開状態に制御した後に、クランプローラ１１，１２を発券の時と同じ方向に回転させて、媒体をダクト６内に排出する。そして、取り忘れられた媒体がダクト６を通って収納ボックス７に排出される。【選択図】図１
2008171308.tif 000002
【特許請求の範囲】
【請求項１】
自動発券機において取り忘れられた媒体を排出する取り忘れ媒体排出機構であって、
前記自動発券機の筐体に、発券の際に媒体を排出するための開口部である発券用開口部が設けられ、
前記自動発券機の筐体の外部に、取り忘れられた媒体を排出するためのダクトが設けられ、
前記ダクトは、
当該ダクトの一方の開口に、開閉可能に蓋部が設けられ、
前記蓋部が設けられた開口が前記発券用開口部の下側に位置するように配置され、
前記蓋部は、
媒体を発券するときに閉状態に制御され、
取り忘れられた媒体を排出するときに開状態に制御される
ことを特徴とする取り忘れ媒体排出機構。
【請求項２】
ダクトの下側に、取り忘れられた媒体を収納するための収納部が設けられている請求項１記載の取り忘れ媒体排出機構。
【請求項３】
蓋部が開状態に制御されることによって、取り忘れられた媒体を発券用開口部からダクトに誘導するための誘導路が形成される請求項１又は請求項２記載の取り忘れ媒体排出機構。
【請求項４】
取り忘れられた媒体を排出する取り忘れ媒体排出機構を備えた自動発券機であって、
当該自動発券機の筐体に、発券の際に媒体を排出するための開口部である発券用開口部が設けられ、
当該自動発券機の筐体の外部に、取り忘れられた媒体を排出するためのダクトが設けられ、
前記ダクトは、
当該ダクトの一方の開口に、開閉可能に蓋部が設けられ、
前記蓋部が設けられた開口が前記発券用開口部の下側に位置するように配置され、
媒体を発券するときに前記蓋部を閉状態に制御するとともに、取り忘れられた媒体を排出するときに前記蓋部を開状態に制御する蓋部制御手段を備えた
ことを特徴とする自動発券機。
【請求項５】
発券用開口部に媒体が存在することを検出する媒体検出手段と、
前記媒体検出手段の検出結果に基づいて、媒体の取り忘れの発生の有無を判定する取り忘れ判定手段とを備え、
蓋部制御手段は、前記取り忘れ判定手段によって媒体の取り忘れが発生したと判定されると、蓋部を開状態に制御する
請求項４記載の自動発券機。
【請求項６】
媒体検出手段は、発券用開口部に媒体が存在することを検出したことを示す検出信号を出力し、
取り忘れ判定手段は、前記媒体検出手段から前記検出信号を所定時間以上入力したことに基づいて、媒体の取り忘れが発生したと判定する
請求項５記載の自動発券機。
【請求項７】
媒体を発券用開口部から排出するためのローラを制御するローラ制御手段を備え、
前記ローラ制御手段は、
取り忘れ判定手段によって媒体の取り忘れが発生したと判定されると、媒体を発券する時とは逆方向に前記ローラを回転させて、取り忘れられた媒体を一時的に自動発券機内に取り込み、
蓋部制御手段によって蓋部が開状態に制御されると、媒体を発券する時と同じ方向に前記ローラを回転させて、取り忘れられた媒体をダクトに排出する
請求項５又は請求項６記載の自動発券機。
【請求項８】
筐体に発券の際に媒体を排出するための開口部である発券用開口部が設けられ、筐体の外部に取り忘れられた媒体を排出するためのダクトが設けられ、前記ダクトの一方の開口に開閉可能に蓋部が設けられ、前記蓋部が設けられた開口が前記発券用開口部の下側に位置するように配置された自動発券機において、取り忘れられた媒体を排出する取り忘れ媒体排出方法であって、
前記発券用開口部に媒体が存在することを検出するステップと、
前記発券用開口部に媒体が存在することの検出結果に基づいて、媒体の取り忘れの発生の有無を判定するステップと、
媒体の取り忘れが発生したと判定すると、前記蓋部を開状態に制御するステップとを含む
ことを特徴とする取り忘れ媒体排出方法。
【発明の詳細な説明】
【技術分野】
【０００１】
本発明は、自動発券機から発券された媒体が取り忘れられた場合に、取り忘れられた媒体を排出する取り忘れ媒体排出機構及び取り忘れ媒体排出方法に関する。また、本発明は、取り忘れ媒体排出機構を備えた自動発券機に関する。
【背景技術】
【０００２】
自動発券機で入場券や切符等の媒体を発券するときに、発券した媒体がそのまま取り忘れられてしまうことがある。そのため、取り忘れられた媒体を自動的に排出できるようにすることが行われている。例えば、特許文献１には、発券した投票券が取り忘れられた場合に、その取り忘れらた投票券を自動的に発券機の内側に取り込む取り込み機構を備えた発券機が記載されている。
【０００３】
【特許文献１】特開２００２−２４８６９号公報
【発明の開示】
【発明が解決しようとする課題】
【０００４】
図９〜図１２は、特許文献１等に記載された従来の取り忘れ媒体排出機構を備えた自動発券機の動作の例を示す説明図である。まず、図９に示すように、従来の取り忘れ媒体排出機構を備えた自動発券機９において、複数枚の媒体３（入場券や切符等）を発券した後、複数枚の媒体３が取り忘れられたままの状態で放置されたとする。この場合、自動発券機９は、図１０に示すように、クランプローラ１１，１２を逆回転させて、複数枚の媒体３を自動発券機９内部に取り込む。
【０００５】
次いで、自動発券機９は、図１１に示すように、取り忘れられた複数枚媒体３を、自動発券機９内部に設けられた取り忘れ媒体搬送専用の搬送路９２に搬送させる。そして、自動発券機９は、図１２に示すように、専用の搬送路９２を介して、取り忘れられた複数枚媒体３を収納ボックス９３に排出する。又は、自動発券機９は、発券動作の際に用いる通常の搬送路９１を介して、取り忘れられた複数枚媒体３を収納ボックス９３に搬出する。
【０００６】
しかし、従来の取り忘れ媒体排出機構を備えた自動発券機では、複数枚の媒体３を一括して自動発券機内を通して排出するため、ジャム発生率が高くなるという問題がる。また、取り忘れ媒体が複数枚ある場合には、それら取り忘れ媒体を処理する処理時間が長い。
【０００７】
そこで、本発明は、取り忘れられた媒体を排出する際のジャム発生率を低減できるとともに、複数枚の取り忘れ媒体を排出する処理時間を低減できる取り忘れ媒体排出機構、自動発券機及び取り忘れ媒体排出方法を提供することを目的とする。
【課題を解決するための手段】
【０００８】
本発明による取り忘れ媒体排出機構は、自動発券機において取り忘れられた媒体を排出する取り忘れ媒体排出機構であって、自動発券機の筐体（例えば、意匠モールド２）に、発券の際に媒体を排出するための開口部である発券用開口部（例えば、開口部１５）が設けられ、自動発券機の筐体の外部に、取り忘れられた媒体を排出するためのダクト（例えば、ダクト６）が設けられ、ダクトは、当該ダクトの一方の開口（例えば、ダクト６の入口６ａ）に、開閉可能に蓋部（例えば、穴塞ぎカバー４）が設けられ、蓋部が設けられた開口が発券用開口部の下側に位置するように配置され、蓋部は、媒体を発券するときに閉状態に制御され、取り忘れられた媒体を排出するときに開状態に制御されることを特徴とする。
【０００９】
また、取り忘れ媒体排出機構は、ダクトの下側に、取り忘れられた媒体を収納するための収納部（例えば、収納ボックス７）が設けられているものであってもよい。
【００１０】
また、取り忘れ媒体排出機構は、蓋部が開状態に制御されることによって、取り忘れられた媒体を発券用開口部からダクトに誘導するための誘導路（例えば、誘導路４ａ）が形成されるものであってもよい。
【００１１】
本発明による自動発券機は、取り忘れられた媒体を排出する取り忘れ媒体排出機構を備えた自動発券機であって、当該自動発券機の筐体（例えば、意匠モールド２）に、発券の際に媒体を排出するための開口部である発券用開口部（例えば、開口部１５）が設けられ、当該自動発券機の筐体の外部に、取り忘れられた媒体を排出するためのダクト（例えば、ダクト６）が設けられ、ダクトは、当該ダクトの一方の開口（例えば、ダクト６の入口６ａ）に、開閉可能に蓋部（例えば、穴塞ぎカバー４）が設けられ、蓋部が設けられた開口が発券用開口部の下側に位置するように配置され、媒体を発券するときに蓋部を閉状態に制御するとともに、取り忘れられた媒体を排出するときに蓋部を開状態に制御する蓋部制御手段（例えば、制御部２０によって実現される）を備えたことを特徴とする。
【００１２】
また、自動発券機は、発券用開口部に媒体が存在することを検出する媒体検出手段（例えば、取り忘れセンサ２１によって実現される）と、媒体検出手段の検出結果に基づいて、媒体の取り忘れの発生の有無を判定する取り忘れ判定手段（例えば、制御部２０によって実現される）とを備え、蓋部制御手段は、取り忘れ判定手段によって媒体の取り忘れが発生したと判定されると、蓋部を開状態に制御するものであってもよい。
【００１３】
また、自動発券機において、媒体検出手段は、発券用開口部に媒体が存在することを検出したことを示す検出信号を出力し、取り忘れ判定手段は、媒体検出手段から検出信号を所定時間以上入力したことに基づいて、媒体の取り忘れが発生したと判定するものであってもよい。
【００１４】
また、自動発券機は、媒体を発券用開口部から排出するためのローラ（例えば、クランプローラ１１，１２）を制御するローラ制御手段（例えば、制御部２０によって実現される）を備え、ローラ制御手段は、取り忘れ判定手段によって媒体の取り忘れが発生したと判定されると、媒体を発券する時とは逆方向にローラを回転させて、取り忘れられた媒体を一時的に自動発券機内に取り込み、蓋部制御手段によって蓋部が開状態に制御されると、媒体を発券する時と同じ方向にローラを回転させて、取り忘れられた媒体をダクトに排出するものであってもよい。
【００１５】
本発明による取り忘れ媒体排出方法は、筐体に発券の際に媒体を排出するための開口部である発券用開口部が設けられ、筐体の外部に取り忘れられた媒体を排出するためのダクトが設けられ、ダクトの一方の開口に開閉可能に蓋部が設けられ、蓋部が設けられた開口が発券用開口部の下側に位置するように配置された自動発券機において、取り忘れられた媒体を排出する取り忘れ媒体排出方法であって、発券用開口部に媒体が存在することを検出するステップと、発券用開口部に媒体が存在することの検出結果に基づいて、媒体の取り忘れの発生の有無を判定するステップと、媒体の取り忘れが発生したと判定すると、蓋部を開状態に制御するステップとを含むことを特徴とする。
【発明の効果】
【００１６】
本発明によれば、自動発券機の筐体の外部にダクトが設けられ、ダクトの一方の開口に開閉可能に蓋部が設けれ、蓋部が取り忘れられた媒体を排出するときに開状態に制御される。すなわち、本発明によれば、自動発券機内部に設けられた発券ユニットの媒体搬送路を用いるのではなく、自動発券機の筐体の外部に設けられたダクトを用いて取り忘れられた媒体を排出する。自動発券機の筐体の外部に設けられたダクトを用いて排出を行なうので、自動発券機内部でジャムが発生することを防止することができ、取り忘れられた媒体を排出する際のジャム発生率を低減することができる。また、自動発券機内部の媒体搬送路を用いずに取り忘れられた媒体の排出処理を行なえるので、複数枚の取り忘れ媒体を排出する処理時間を低減することができる。従って、取り忘れられた媒体を排出する際のジャム発生率を低減できるとともに、複数枚の取り忘れ媒体を排出する処理時間を低減することができる。
【発明を実施するための最良の形態】
【００１７】
以下、本発明の実施の形態について図面を参照して説明する。図１は、本発明による取り忘れ媒体排出機構を備えた自動発券機１の構造の一例を示す断面図である。なお、図１は、発券の際に入場券や切符等の媒体を搬送する媒体搬送路に対して平行な面で自動発券機１を切断して示した図に相当する。
【００１８】
図１に示すように、自動発券機１は、その内部に、クランプローラ１１，１２と、媒体搬送路１３と、媒体ロール紙１４とを含む。媒体ロール紙１４は、入場券や切符等の媒体用のロール紙である。自動発券機１は、媒体を発券する際に、例えば、媒体ロール紙１４を所定のサイズに切断し印刷して入場券や切符等の媒体を作成する。自動発券機１の筐体２（以下、意匠面モールドという）には、媒体を発券するための開口部１５が設けられており、媒体は、媒体搬送路１３を介して開口部１５まで搬送される。そして、クランプローラ１１，１２が回転することによって、搬送された媒体が開口部１５から発券される。
【００１９】
また、意匠面モールド２のうち開口部１５が設けられている部分の下側には、取り忘れられた媒体を排出するためのダクト６が設けられている。また、ダクト６の下側には、取り忘れられた媒体を収納するための収納ボックス７が設けられている。すなわち、本実施の形態では、取り忘れられた媒体を自動発券機１内部の搬送路を経由して排出するのではなく、自動発券機１の外に別ルートとして、取り忘れられた媒体３を収納ボックス７までガイド（誘導）するためのダクト６が設けられている。
【００２０】
なお、以下、ダクト６の２つの開口のうち、意匠面モールド２の開口部１５側に位置する開口６ａをダクト６の入口と表現し、収納ボックス７側に位置する開口６ｂをダクト６の出口と表現する。本実施の形態では、図１に示すように、ダクト６は、入口６ａが開口部１５の下側に位置するように配置される。
【００２１】
また、ダクト６の入口６ａには、軸５に対して回動可能に穴塞ぎカバー４が設けられており、ダクト６の入口６ａを塞いだり開放したりすることができる。なお、「回動可能」とは、正逆方向に円運動可能なことをいう。
【００２２】
図２は、図１に示した自動発券機１のうちダクト６周辺の構造を示す断面図である。図２に示すように、穴塞ぎカバー４が軸５を介して回転することによって、ダクト６の入口６ａが塞がれた状態（図２（ａ）参照）から開いた状態（図２（ｂ）参照）に変化する。また、ダクト６の入口６ａを開くときとは逆方向に穴塞ぎカバー４が軸５を介して回転することによって、ダクト６の入口６ａが開いた状態（図２（ｂ）参照）から塞がれた状態（図２（ａ）参照）に変化する。なお、本実施の形態では、穴塞ぎカバー４が開いた状態に変化することによって、取り忘れられた媒体をダクト６に誘導するための誘導路４ａが形成される。
【００２３】
図３は、自動発券機１の制御系の構成の一例を示すブロック図である。図３に示すように、自動発券機１は、制御部２０、取り忘れ検出センサ２１、カバー用モータ２２及びクランプローラ１１，１２を含む。
【００２４】
取り忘れ検出センサ２１は、例えば、フォトセンサ等によって実現され、意匠面モールド２の開口部１５に設置される。取り忘れ検出センサ２１は、開口部１５における入場券や切符等の媒体の有無を検出し、検出信号を出力する機能を備える。
【００２５】
カバー用モータ２２は、制御部２０の制御に従って、軸５を回転させるためのモータ（例えば、ＤＣモータ）である。カバー用モータ２２は、軸５を正方向又は逆方向に回転させることによって、穴塞ぎカバー４を軸５中心に回転させる機能を備える。
【００２６】
クランプローラ１１，１２は、制御部２０の制御に従って、回転する機能を備える。クランプローラ１１，１２は、媒体を発券する際には、制御部２０の制御に従って回転することによって、媒体を意匠面モールド２の開口部１５から排出する機能を備える。また、クランプローラ１１，１２は、取り忘れられた媒体を排出する際に、媒体を発券する時とは逆方向に回転して、媒体を自動発券機１内部に一時取り込む機能を備える。また、クランプローラ１１，１２は、取り忘れられた媒体をダクト６に排出する際に、媒体を発券する時と同じ方向に回転して、媒体をダクト６に排出する機能を備える。
【００２７】
制御部２０は、取り忘れ検出センサ２１からの検出信号に基づいて、入場券や切符等の媒体の取り忘れの発生の有無を検出する機能を備える。また、制御部２０は、カバー用モータ２２を制御して、カバー用モータ２２を駆動させることによって、穴塞ぎカバー４を軸５を介して回動させる制御を行う機能を備える。本実施の形態では、制御部２０は、、穴塞ぎカバー４を回転させることによって、穴塞ぎカバー４を開状態に制御したり閉状態に制御したりする。
【００２８】
また、制御部２０は、クランプローラ１１，１２を制御して、クランプローラ１１，１２を駆動させることによって、媒体を意匠面モールド２の開口部から排出したり、自動発券機１内に取り込んだり、ダクト６に排出したりする制御を行う機能を備える。
【００２９】
次に、動作について説明する。図４は、自動発券機１が取り忘れられた媒体を排出する処理の一例を示す流れ図である。自動発券機１は、新たに媒体を発券する場合、例えば、媒体ロール紙１４を所定のサイズに切断し印刷を行って入場券や切符等の媒体を作成する。次いで、自動発券機１は、媒体搬送路１３を介して、作成した媒体を意匠面モールド２の開口部１５まで搬送する。そして、自動発券機１の制御部２０は、クランプローラ１１，１２を回転制御することによって、媒体を開口部１５から排出させ発券させる。
【００３０】
図５は、入場券や切符等の媒体３が意匠面モールド２の開口部１５から発券された状態を示す説明図である。図５に示すように、制御部２０は、媒体３を開口部１５から完全に外に排出させるのではなく、媒体３の端部がクランプローラ１１，１２挟まった状態で止まるように、クランプローラ１１，１２を制御する。この状態において、開口部１５に設けられた取り忘れ検出センサ２１は、開口部１５において媒体３が存在することを検出し、検出信号を制御部２０に出力する。また、媒体３の発券を行う場合には、図５に示すように、穴塞ぎカバー４がダクト６の入口６ａを塞いだ状態となるように制御することによって、発券された媒体３がダクト６内に入らないようにする。
【００３１】
自動発券機１において発券操作を行ったユーザは、意匠面モールド２の開口部１５から媒体３が発券されたのを確認すると、端部がクランプローラ１１，１２に挟まった状態で止まっている媒体３を手で引き抜いて媒体３を取り出す。この場合、例えば、ユーザが発券操作を行ったことを忘れてそのまま立ち去ってしまったり、複数枚の媒体３の発券操作を行ったときに一部の媒体３のみを取り出して他の媒体３を取り忘れて立ち去ってしまうことがある。すると、取り忘れられた媒体３が意匠面モールド２の開口部１５にある状態で放置されてしまうことになる。
【００３２】
制御部２０は、取り忘れ検出センサ２１からの検出信号に基づいて、媒体３の取り忘れの発生の有無を判断する。例えば、制御部２０は、取り忘れ検出センサ２１からの検出信号を所定時間以上入力したと判断すると、媒体３の取り忘れが発生したと判断する（ステップＳ１１）。
【００３３】
媒体３の取り忘れが発生したと判断すると、制御部２０は、媒体３を発券する時とは逆方向にクランプローラ１１，１２を回転させて、図６に示すように、媒体３を自動発券機１内に一時的に取り込む（ステップＳ１２）。
【００３４】
次いで、制御部２０は、カバー用モータ２２を駆動させて、図７に示すように、穴塞ぎカバー４を軸５を介して回転させることによって、ダクト６の入口６ａを開いた状態に変化させる（ステップＳ１３）。
【００３５】
次いで、制御部２０は、媒体３を発券する時と同じ方向にクランプローラ１１，１２を回転させて、図７に示すように、媒体３をダクト６に排出する（ステップＳ１４）。この場合、図７に示すように、穴塞ぎカバー４が意匠面モールド２の開口部１５の下側に位置しているので、媒体３をダクト６の入口６ａに導くための誘導板としての役割を果たし（取り忘れられた媒体を開口部１５からダクト６に誘導するための誘導路４ａが形成され）、媒体３がダクト６に排出される。
【００３６】
そして、媒体３がダクト６を通ってダクト６の出口６ｂから収納ボックス７に落下し、図８に示すように、取り忘れられた媒体３が自動発券機１外に排出された状態となる。取り忘れられた媒体３の排出を完了すると、制御部２０は、ダクト６の入口６ａを開く時とは逆方向に穴塞ぎカバー４を軸５を介して回転させて、図８に示すように、ダクト６の入口６ａを塞いだ状態に変化させる。
【００３７】
以上のように、本実施の形態によれば、自動発券機１内部に設けられた発券ユニットの媒体搬送路１３を用いるのではなく、自動発券機１のユニットの外部に設けられたダクト６及び収納ボックス７を用いて取り忘れられた媒体を排出する。自動発券機１の外部に設けられたダクト６を用いて排出を行なうので、自動発券機１内部でジャムが発生することを防止することができ、取り忘れられた媒体を排出する際のジャム発生率を低減することができる。また、自動発券機１内部の媒体搬送路１３を用いずに取り忘れられた媒体の排出処理を行なえるので、複数枚の取り忘れ媒体を排出する処理時間を低減することができる。従って、取り忘れられた媒体を排出する際のジャム発生率を低減できるとともに、複数枚の取り忘れ媒体を排出する処理時間を低減することができる。
【産業上の利用可能性】
【００３８】
本発明は、入場券や切符等の媒体を発券する自動発券機に適用できる。
【図面の簡単な説明】
【００３９】
【図１】本発明による取り忘れ媒体排出機構を備えた自動発券機の構造の一例を示す断面図である。
【図２】図１に示した自動発券機のうちダクト周辺の構造を示す断面図である。
【図３】自動発券機の制御系の構成の一例を示すブロック図である。
【図４】自動発券機が取り忘れられた媒体を排出する処理の一例を示す流れ図である。
【図５】自動発券機が取り忘れられた媒体を排出する動作の例を示す断面図である。
【図６】自動発券機が取り忘れられた媒体を排出する動作の例を示す断面図である。
【図７】自動発券機が取り忘れられた媒体を排出する動作の例を示す断面図である。
【図８】自動発券機が取り忘れられた媒体を排出する動作の例を示す断面図である。
【図９】従来の取り忘れ媒体排出機構を備えた自動発券機の動作の例を示す説明図である。
【図１０】従来の取り忘れ媒体排出機構を備えた自動発券機の動作の例を示す説明図である。
【図１１】従来の取り忘れ媒体排出機構を備えた自動発券機の動作の例を示す説明図である。
【図１２】従来の取り忘れ媒体排出機構を備えた自動発券機の動作の例を示す説明図である。
【符号の説明】
【００４０】
１  自動発券機
２  意匠面モールド
３  媒体
４  穴塞ぎカバー
４ａ  誘導路
５  軸
６  ダクト
６ａ  ダクトの入口
６ｂ  ダクトの出口
７  収納ボックス
１１，１２  クランプローラ
１３  媒体搬送路
１４  媒体ロール紙
１５  開口部
２０  制御部
２１  取り忘れ検出センサ
２２  カバー用モータ２２
【図１】
2008171308.tif 000003
【図２】
2008171308.tif 000004
【図３】
2008171308.tif 000005
【図４】
2008171308.tif 000006
【図５】
2008171308.tif 000007
【図６】
2008171308.tif 000008
【図７】
2008171308.tif 000009
【図８】
2008171308.tif 000010
【図９】
2008171308.tif 000011
【図１０】
2008171308.tif 000012
【図１１】
2008171308.tif 000013
【図１２】
2008171308.tif 000014